(57)【要約】【課題】ピンホールカメラの組み立てが容易となる撮像素子モジュールを提供する。【解決手段】固体撮像素子１２と、固体撮像素子１２を内部に収納したパッケージ１１と、パッケージ１１の開口面を閉塞しパッケージ１１内に固体撮像素子１２を封止する保護板１３とを備える撮像素子モジュールにおいて、保護板１３が、中央にピンホール１３ａを有し、該保護板１３の前記ピンホール１３ａ以外が遮光板で構成される。ピンホール１３ａと固体撮像素子１２とが一体にモジュール化されているため、ピンホールカメラの組み立てが容易となる。【選択図】図１
2007300164.tif 000002
【特許請求の範囲】
【請求項１】
固体撮像素子と、該固体撮像素子を内部に収納したパッケージと、該パッケージの開口面を閉塞し該パッケージ内に前記固体撮像素子を封止する保護板とを備える撮像素子モジュールにおいて、前記保護板が中央にピンホールを有し、該保護板の前記ピンホール以外が遮光板で構成されることを特徴とするピンホールカメラ用の撮像素子モジュール。
【請求項２】
前記保護板の前記ピンホールが透明体で構成され該ピンホール以外の前記保護板が遮光物質で構成されることを特徴とする請求項１に記載のピンホールカメラ用の撮像素子モジュール。
【請求項３】
前記パッケージの高さが前記ピンホールと前記固体撮像素子の撮像面との間の距離調整用に設定され該高さにより前記固体撮像素子の撮像画像の画角が決められることを特徴とする請求項１または請求項２に記載のピンホールカメラ用の撮像素子モジュール。
【請求項４】
請求項１乃至請求項３のいずれかに記載のピンホールカメラ用の撮像素子モジュールと、該撮像素子モジュールから出力される撮像画像データを信号処理するカメラ本体部とを備えることを特徴とするピンホールカメラ。
【請求項５】
前記カメラ本体部に対し前記撮像素子モジュールが着脱自在に接続されることを特徴とする請求項４に記載のピンホールカメラ。
【発明の詳細な説明】
【技術分野】
【０００１】
本発明は、ピンホールカメラ用の撮像素子モジュール及びピンホールカメラに関する。
【背景技術】
【０００２】
近年では、携帯電話機や電子玩具など色々な電子装置にカメラが搭載される様になってきており、また、様々な場所に設置される監視カメラの数も多くなってきている。このため、被写体を撮像でき撮像データを電子処理できる低コストなカメラに対する要望が高い。
【０００３】
カメラを低コスト化するには、カメラをピンホールカメラとし、撮影レンズが不要なカメラとするのが良い。このため、特許文献１，２に記載の従来技術ではピンホールカメラを採用し、ピンホールを通して得た被写体の光学像をＣＣＤ型イメージセンサやＣＭＯＳ型イメージセンサ等の固体撮像素子で受光する様にしている。
【０００４】
【特許文献１】特開平９―４６６９２号公報
【特許文献２】特開２００１―６１０９０号公報
【発明の開示】
【発明が解決しようとする課題】
【０００５】
ピンホールカメラで広角寄りの被写体画像を撮像するか望遠寄りの被写体画像を撮像するかは、固体撮像素子とピンホールとの間の距離に依存する。ピンホールカメラを組み立てる場合、この距離の調整が面倒であり、また、距離を変更して例えば広角寄りから望遠寄りに変更したとき、固体撮像素子を封止したパッケージ表面の保護ガラスにゴミ等が付着すると、鮮明な被写体画像が得られないという問題もある。
【０００６】
本発明の目的は、容易にピンホールカメラを組み立てることができるピンホールカメラ用の撮像素子モジュール及びピンホールカメラを提供することにある。
【課題を解決するための手段】
【０００７】
本発明のピンホールカメラ用の撮像素子モジュールは、固体撮像素子と、該固体撮像素子を内部に収納したパッケージと、該パッケージの開口面を閉塞し該パッケージ内に前記固体撮像素子を封止する保護板とを備える撮像素子モジュールにおいて、前記保護板が中央にピンホールを有し、該保護板の前記ピンホール以外が遮光板で構成されることを特徴とする。
【０００８】
本発明のピンホールカメラ用の撮像素子モジュールは、前記保護板の前記ピンホールが透明体で構成され該ピンホール以外の前記保護板が遮光物質で構成されることを特徴とする。
【０００９】
本発明のピンホールカメラ用の撮像素子モジュールは、前記パッケージの高さが前記ピンホールと前記固体撮像素子の撮像面との間の距離調整用に設定され該高さにより前記固体撮像素子の撮像画像の画角が決められることを特徴とする。
【００１０】
本発明のピンホールカメラは、上記のいずれかに記載のピンホールカメラ用の撮像素子モジュールと、該撮像素子モジュールから出力される撮像画像データを信号処理するカメラ本体部とを備えることを特徴とする。
【００１１】
本発明のピンホールカメラは、前記カメラ本体部に対し前記撮像素子モジュールが着脱自在に接続されることを特徴とする。
【発明の効果】
【００１２】
本発明によれば、撮像素子モジュールとしてピンホールと固体撮像素子とを一体にモジュール化したため、ピンホールカメラの組立が容易となる。
【発明を実施するための最良の形態】
【００１３】
以下、本発明の一実施形態について、図面を参照して説明する。
【００１４】
図１は、本発明の一実施形態に係るピンホールカメラ用の撮像素子モジュールの断面模式図である。
【００１５】
本実施形態の撮像素子モジュール１０は、セラミック製などの箱形パッケージ１１と、箱形パッケージ１１内に収納固定されパッケージ１１の開口面側に撮像面（受光面）が向けられた固体撮像素子１２と、箱形パッケージ１１の開口面を閉塞する保護ガラス１３とを備える。
【００１６】
保護ガラス１３は、図２に示す様に、中央部にピンホール１３ａとして機能する透明ガラス部分が残され、ピンホール１３ａ以外は遮光物質が混ぜられて構成される。
【００１７】
尚、保護ガラス１３を全面透明ガラス板で構成し、保護ガラス板１３表面に、中央にピンホール１３ａが開けられた遮光板を貼り付けて構成することでも良い。ガラス板として説明しているが、透明度や硬度がある程度高ければ材料はガラスに限らず、樹脂製の板でも良いことはいうまでもない。
【００１８】
固体撮像素子１２の入出力端子とパッケージ１１の図示しない外部端子とは、パッケージ１１の壁部を貫通する図示しない配線により接続され、この外部端子に図示しないフレキシブルケーブルの一端側が着脱自在に接続される。このフレキシブルケーブルの他端側には、カメラ本体側のアナログフロントエンドプロセッサやタイミングジェネレータ等が接続されている。
【００１９】
斯かる構成の撮像素子モジュール１０を用いてピンホールカメラを組み立てる場合、カメラ本体に撮像素子モジュール１０を組み込み、フレキシブルケーブルを撮像素子モジュール１０に接続するだけで良い。
【００２０】
固体撮像素子１２とピンホール１３ａとの距離ｔ１は、撮像素子モジュール１０を構成するパッケージ１１の高さによって最適に決められているため、組み込み時の調整は不要である。
【００２１】
カメラ本体側の電源が投入されると、ピンホール１３ａを通して得られた被写体光学像を受光面で撮像した固体撮像素子１２から撮像データが出力され、この撮像データがフレキシブルケーブルを介してカメラ本体側に取り込まれ、周知の画像処理（Ａ／Ｄ変換処理，ガンマ処理，ホワイトバランス処理等）が施される。
【００２２】
図１に示す撮像素子モジュール１０は、ピンホール１３ａと固体撮像素子１２との距離ｔ１が短く、広角寄りの被写体画像を撮像する様に構成されている。これに対し、図３に示す撮像素子モジュール２０は、基本構成は撮像素子モジュール１０と同じであり、ピンホール１３ａと固体撮像素子１２との距離ｔ２が長くなるパッケージ１１が用いられ、望遠寄りの被写体画像を撮像する様に構成されている。
【００２３】
ピンホール１３ａと固体撮像素子１２との距離が様々な複数種類の撮像素子モジュール１０，２０，…を用意しておけば、ピンホールカメラの組み立て時に最適な撮像素子モジュールを選択でき、また、ピンホールカメラのユーザは、画角の異なる被写体画像を撮像したいときは、面倒な調整無しに単に撮像素子モジュールを交換するだけで、固体撮像素子１２の受光面を汚損することなく、目的を達することができる。
【産業上の利用可能性】
【００２４】
本発明に係る撮像素子モジュールは、ピンホールを通して得た被写体の光学像を精度良く撮像することができるため、ピンホールカメラに適用すると有用である。
【図面の簡単な説明】
【００２５】
【図１】本発明の一実施形態に係るピンホールカメラ用の撮像素子モジュールの断面模式図である。
【図２】図１に示す保護ガラス板の平面模式図である。
【図３】本発明の別実施形態に係るピンホールカメラ用の撮像素子モジュールの断面模式図である。
【符号の説明】
【００２６】
１０  撮像素子モジュール
１１  パッケージ
１２  固体撮像素子
１３  保護ガラス板
１３ａ  ピンホール
【図１】
2007300164.tif 000003
【図２】
2007300164.tif 000004
【図３】
2007300164.tif 000005